(57)【要約】【課題】従来までの電子番組表は、タイムシフト録画により保持している放送映像データは利用されておらず、文字のみの電子番組表であり、利便性に劣るという問題点が未解決であった。【解決手段】上記課題を解決するために、本発明では、タイムシフト録画した放送映像データからサムネイル画像を作成し、作成したサムネイル画像を電子番組表とともに表示した。これにより、電子番組表が視覚的に分かり易いものとなり、番組の効率的な選択や検索をできるようになる。【選択図】          図９
2007306150.tif 000002
【特許請求の範囲】
【請求項１】
放送映像データを受信する受信部と、
受信された放送映像データのうち、常時過去の所定時間分の放送映像データを保持する放送映像データ保持部と、
保持されている放送映像データのサムネイル画像を作成するサムネイル画像作成部と、
前記保持されている放送映像データの番組表である過去番組表を含む電子番組表を取得する電子番組表取得部と、
電子番組表と、作成したサムネイル画像とを、過去番組表とサムネイル画像とが関連付けられる態様で表示する表示部と、
からなる記録再生装置。
【請求項２】
前記電子番組表取得部は、
番組に関連付けられた番組付帯情報を取得する番組付帯情報取得手段を有し、
前記表示部は、
前記表示がされているサムネイル画像と関連付けてそのサムネイル画像の番組の前記番組付帯情報をも表示する番組付帯情報表示手段と、
を有する請求項１に記載の記録再生装置。
【請求項３】
前記サムネイル画像作成部は、
サムネイル画像を番組の中の所定時間間隔おきの再生映像から作成する所定時間間隔画像作成手段を有し、
前記表示部は、
サムネイル画像を電子番組表に含まれる時間軸に対応させて表示する時刻対応表示手段を有する請求項１又は２に記載の記録再生装置。
【請求項４】
前記放送映像データ保持部は、
受信部にて受信可能な全てのチャンネルの放送映像データを保持する全チャンネル保持手段を有することを特徴とする請求項１から３のいずれか一に記載の記録再生装置。
【請求項５】
放送映像データを受信する受信ステップと、
受信された放送映像データのうち、常時過去の所定時間分の放送映像データを保持する放送映像データ保持ステップと、
保持されている放送映像データのサムネイル画像を作成するサムネイル画像作成ステップと、
前記保持されている放送映像データの番組表である過去番組表を含む電子番組表を取得する電子番組表取得ステップと、
電子番組表と、作成したサムネイル画像とを、過去番組表とサムネイル画像とが関連付けられる態様で表示する表示ステップと、
からなる電子番組表の表示方法。
【請求項６】
前記電子番組表取得ステップは、
番組に関連付けられた番組付帯情報を取得する番組付帯情報取得サブステップを有し、
前記表示ステップは、
前記表示されているサムネイル画像と関連付けてそのサムネイル画像の番組の前記番組付帯情報をも表示する番組付帯情報表示サブステップと、
を有する請求項５に記載の電子番組表の表示方法。
【請求項７】
前記サムネイル画像作成ステップは、
サムネイル画像を番組の中の所定時間間隔おきの再生映像から作成する所定時間間隔画像作成サブステップを有し、
前記表示ステップは、
サムネイル画像を電子番組表に含まれる時間軸に対応させて表示する時刻対応表示サブステップを有する請求項５又は６に記載の電子番組表の表示方法。
【請求項８】
前記放送映像データ保持ステップは、
受信ステップにて受信可能な全てのチャンネルの放送映像データを保持する全チャンネル保持サブステップを有することを特徴とする請求項５から７のいずれか一に記載の電子番組表の表示方法。
【発明の詳細な説明】
【技術分野】
【０００１】
本発明は、タイムシフト録画機能を有する記録再生装置において、電子番組表を表示する技術に関する。
【背景技術】
【０００２】
近年、テレビジョン放送はアナログ放送からデジタル放送へ急速に移行している。デジタル放送では、アナログ放送に比べて多チャンネル化が図られるとともに、様々なデータを多重化して伝送することができる。このデータの一つが受信機での番組選択に必要な情報（番組情報）である。ユーザは受信した番組情報を受信機のディスプレイ等で表示し、表示された番組情報にて放送番組の確認、視聴予約、録画予約等の機能を利用することができる。このようなシステムは、一般的に電子番組ガイド（ＥＰＧ：Ｅｌｅｃｔｒｏｎｉｃ Ｐｒｏｇｒａｍ Ｇｕｉｄｅ）または電子番組表などと呼ばれている。
【０００３】
送出される番組情報は、一般的に現在時刻以降の数日分の番組情報であり、受信機では、現在時刻を開始点として数日分の番組情報を電子番組表として表示することができる。このため、従来の記録再生装置では、現在時刻から数日分先の番組情報を電子番組表によって確認することができた。
【０００４】
また、常時過去の所定時間分の受信した放送映像データを一時的に記録媒体に格納し、時間をずらして（タイムシフトさせて）視聴可能な、いわゆるタイムシフト機能を有する記録再生装置がある。従来技術においては、タイムシフト機能を有する記録再生装置においても現在時刻以降の電子番組表を表示していた。
【０００５】
そこで、特許文献１では、タイムシフト機能を有する記録再生装置においては、過去の番組情報から、遡って過去の電子番組表を構築して表示可能とする方法が開示されている。図１７は、従来の電子番組表の表示例である。当該電子番組表は、横に時間軸（１７０１）、縦にチャンネル軸（１７０２）を取り、その中に番組名（１７０３）が配置されている。図１７では、現在時刻が午前７時２０分であり、チャンネル１００、チャンネル１１０、チャンネル１５０を６０分間タイムシフト録画している様子を過去の電子番組表中にバー表示（１７０５）することで示している。このとき、表示された電子番組表においてチャンネル１００の番組２を選択すると、番組２がハイライト表示され、電子番組表の右下に番組２の番組情報等（１７０４）が文字情報のみで表示される。
【特許文献１】特開２００４−２１４８２９号公報
【発明の開示】
【発明が解決しようとする課題】
【０００６】
しかしながら、図１７に示す従来の記録再生装置における電子番組表では、タイムシフト録画により保持している放送映像データは利用されておらず、文字のみの電子番組表であり、利便性に劣るという問題点が未解決であった。本発明では、タイムシフト録画により利用可能となった放送映像データを活用して、視覚的に分かり易い電子番組表を表示し、番組の効率的な選択や検索を支援することを目的とする。
【課題を解決するための手段】
【０００７】
上記課題を解決するために、本発明では、放送映像データを受信する受信部と、受信された放送映像データのうち、常時過去の所定時間分の放送映像データを保持する放送映像データ保持部と、保持される放送映像データのサムネイル画像を作成するサムネイル画像作成部と、前記保持されている映像データの番組表である過去番組表を含む電子番組表を取得する電子番組表取得部と、電子番組表と、作成したサムネイル画像とを、過去番組表とサムネイル画像とが関連付けられる態様で表示する表示部と、からなる記録再生装置を提案する。
【０００８】
また、前記受信部は、番組に関連付けられた番組付帯情報を取得する番組付帯情報取得手段を有し、前記表示部は、前記表示がされているサムネイル画像と関連付けてそのサムネイル画像の番組の前記番組付帯情報をも表示する番組付帯情報表示手段と、を有していても良い。
【０００９】
また、前記サムネイル画像作成部は、サムネイル画像を番組の中の所定時間間隔おきの再生映像から作成する所定時間間隔画像作成手段を有し、前記表示部は、サムネイル画像を電子番組表に含まれる時間軸に対応させて表示する時刻対応表示手段を有していても良い。
【００１０】
また、前記放送映像データ保持部は、受信部にて受信可能な全てのチャンネルの放送映像データを保持する全チャンネル保持手段を有していても良い。
【００１１】
本発明では、放送映像データを受信する受信ステップと、受信された放送映像データのうち、常時過去の所定時間分の放送映像データを保持する放送映像データ保持ステップと、保持される放送映像データのサムネイル画像を作成するサムネイル画像作成ステップと、前記保持されている映像データの番組表である過去番組表を含む電子番組表を取得する電子番組表取得ステップと、電子番組表と、作成したサムネイル画像とを、過去番組表とサムネイル画像とが関連付けられる態様で表示する表示ステップと、からなる番組表の表示方法を提案する。
【００１２】
また、前記受信ステップは、番組に関連付けられた番組付帯情報を取得する番組付帯情報取得サブステップを有し、前記表示ステップは、前記表示がされているサムネイル画像と関連付けてそのサムネイル画像の番組の前記番組付帯情報をも表示する番組付帯情報表示サブステップと、を有していても良い。
【００１３】
また、前記サムネイル画像作成ステップは、サムネイル画像を番組の中の所定時間間隔おきの再生映像から作成する所定時間間隔画像作成サブステップを有し、前記表示ステップは、サムネイル画像を電子番組表に含まれる時間軸に対応させて表示する時刻対応表示サブステップを有していても良い。
【００１４】
また、前記放送映像データ保持ステップは、受信ステップにて受信可能な全てのチャンネルの放送映像データを保持する全チャンネル保持サブステップを有していても良い。
【発明の効果】
【００１５】
以上のような構成をとる本発明の記録再生装置又は電子番組表の表示方法では、タイムシフト録画により利用可能となった放送映像データを活用して、視覚的に分かり易い電子番組表を表示することができる。このため、番組の効率的な選択や検索を支援することができる。
【発明を実施するための最良の形態】
【００１６】
本発明を実施するための最良の形態について、図面を用いて詳細に説明する。なお、本発明はこれら実施の形態になんら限定されるものではなく、その要旨を逸脱しない範囲において種々なる態様で実施しうる。なお、以下の実施形態と請求項の関係は次のとおりである。実施形態１は主として請求項１、２、５、６などについて説明する。実施形態２は主として請求項３、７などについて説明する。実施形態３は主として請求項４、８などについて説明する。
【００１７】
≪実施形態１≫（実施形態１の概念）実施形態１について説明する。図１に本実施形態における記録再生装置の概念を示す。図１は、現在時刻から６０分間タイムシフト録画可能な記録再生装置において、チャンネル１００、１１０、１５０をタイムシフト録画している場合の電子番組表（０１０１）を示している。該記録再生装置では、現在時刻（午前７時２０分とする）から６０分間以上前の時刻からの電子番組表（０１０１）とともに、タイムシフト録画されたチャンネルと時間帯をバー表示（０１０６）にて示し、さらに、電子番組表中の選択された番組（０１０２）のサムネイル画像（０１０３）を表示している。このように、本実施形態の記録再生装置では、タイムシフト録画により既に保持されている放送映像データを利用して、過去に録画した番組の情報をユーザに詳細に伝達することができる。
【００１８】
（実施形態１の構成）図２に本実施形態にかかる記録再生装置の機能ブロック図の一例を示す。本実施形態にかかる「記録再生装置」（０２００）は、「受信部」（０２０１）と、「放送映像データ保持部」（０２０２）と、「サムネイル画像作成部」（０２０３）と、「電子番組表取得部」（０２０４）と、「表示部」（０２０５）とからなり、電子番組表取得部は、「番組付帯情報取得手段」（０２０６）を、表示部は「番組付帯情報表示手段」（０２０７）を有していても良い。
【００１９】
図３に、本実施形態における記録装置を実現するためのハードウェア構成を示す。図３に示す記録装置は、主としてＣＰＵ（０３０１）、ＲＡＭ等の揮発性メモリ（０３０２）、ＨＤＤ等の不揮発性メモリ（０３０３）、チューナ（０３０４）、Ｉ／Ｏデバイス（０３０５）、ディスプレイ（０３０６）、これらを繋ぐシステムバス（０３０７）などからなる。
【００２０】
（実施形態１の構成の説明）「記録再生装置」（０２００）とは、放送映像データをタイムシフト録画により保持可能な装置である。タイムシフト録画とは、タイムシフト機能を利用可能とするために、録画予約等を行わなくても、常時過去の所定時間分の放送映像データを記録して保持することである。なお、本実施形態における「常時」とは、少なくとも記録再生装置の電源がＯＮであり、タイムシフト録画機能が通常動作している状態をいう。すなわち、記録再生装置の電源がＯＦＦの状態である場合や、電源はＯＮであるがタイムシフト録画機能がＯＦＦとなっている状態である場合は「常時」には含まれず、当然ながらタイムシフト録画も行われない。タイムシフト機能とは、放送中のテレビ番組などを、ビデオのように一時停止したり巻き戻したりして見ることができる機能のことをいう。タイムシフト機能は、テレビ録画機能付きのパソコンやハードディスクレコーダー、ハードディスク搭載DVDレコーダーなどで実現することができる。
【００２１】
「受信部」（０２０１）は、放送映像データを受信するように構成されている。受信部は、図３に示すチューナ（０３０４）などから構成される。放送映像データとは、地上デジタル放送、地上アナログ放送、ＢＳ／ＣＳ１１０度デジタル放送、インターネット放送などにて放送される映像のデータである。放送映像データは、記録再生装置に外部接続されたアンテナや受信部を構成するチューナ（０３０４）を介して受信される。なお、図３では、チューナは一つしか記載していないが、同時に受信するチャンネルの数だけ必要となる。また、受信する放送映像データがインターネット放送の場合には、受信部（０２０１）は、チューナ（０３０４）の代わりにＬＡＮアダプタなどを備え、ネットワーク経由で放送映像データを受信可能なように構成される。
【００２２】
「放送映像データ保持部」（０２０２）は、受信された放送映像データのうち、常時過去の所定時間分の放送映像データを保持するように構成されている。保持部（０２０２）は、図３に示す不揮発性メモリ（０３０３）などから構成されており、チューナ（０３０４）にて選局されたチャンネルの放送映像データが記録媒体である不揮発性メモリ（０３０３）のアドレスＡに格納される。記録媒体は、ＨＤＤ等の磁気ディスクであっても良いし、ＣＤ−Ｒ、ＣＤ−ＲＷ、ＤＶＤ±Ｒ、ＤＶＤ±ＲＷ、ＤＶＤ−ＲＡＭなどの光ディスクであっても良い。
【００２３】
放送映像データ保持部（０２０２）では、所定のチャンネルの放送映像データを常時記録し、現在時刻から所定時間分の過去の放送映像データを保持する。言い換えれば、所定時間以上前から保持されている放送映像データは破棄され、常に最新の所定時間分の放送映像データが保持される。「所定時間」とは、予め６０分、９０分などと設定しておいても良いし、ユーザがＩ／Ｏデバイス（０３０５）より入力して設定することとしても良い。図１では、所定時間を６０分に設定し、現在時刻から６０分前までの所定のチャンネル（図１中：チャンネル１００、チャンネル１１０、チャンネル１５０）の放送映像データを保持している状態が電子番組表にて示されている。放送映像データ保持部（０２０２）では、常に新しい放送映像データが蓄積されていくため、保持されている放送映像データの内容は時間とともに更新される。
【００２４】
「サムネイル画像作成部」（０２０３）は、保持されている放送映像データのサムネイル画像を作成するように構成されている。サムネイル画像作成部は、図３におけるＣＰＵ（０３０１）、揮発性メモリ（０３０２）、不揮発性メモリ（０３０３）などから構成されている。サムネイル画像作成部（０２０３）では、図３に示すＣＰＵ（０３０１）にて不揮発性メモリ（０３０３）のアドレスＰ１に格納されているサムネイル画像作成プログラムを読み出し、揮発性メモリ（０３０２）のワーク領域に展開して起動する。サムネイル画像作成プログラムは、保持部（０２０１）にて保持されている放送映像データを編集等することでサムネイル画像を作成する。作成されたサムネイル画像は、不揮発性メモリ（０３０３）のアドレスＢなどに格納される。
【００２５】
「サムネイル画像」とは、放送映像データ保持部（０２０２）に保持されている放送映像データを基に作成された画像であり、放送映像データから抽出された静止画像であっても良いし、放送映像データを編集した動画像であっても良いし、放送映像データそのものであっても良い。サムネイル画像が静止画像の場合には、図４に示すように、複数枚の静止画像にて一のサムネイル画像（０４０１）を構成しても良い。図４では、特定の番組の放送映像データの再生映像（０４０２）から、一定時間間隔（例えば２０分毎）でその時間に応じた静止画像を抽出し、これを時間順に並べてサムネイル画像を作成している。また、放送映像データのビットレートを変換して低くした動画像データをサムネイル画像としても良いし、放送映像データの一部の時間帯の動画像データをサムネイル画像としても良い。
【００２６】
「電子番組表取得部」（０２０４）は、保持されている放送映像データの番組表である過去番組表を含む電子番組表を取得する。番組表とは、いずれの番組がどのチャンネルで何月何日何時から何時まで放送されるのかを示したデータ（番組情報）の蓄積であり、表形式で表すことができる。「過去番組表」とは、現在時刻以前の番組表である。すなわち、放送映像データ保持部（０２０２）に保持されている放送映像データが、どのチャンネルで何月何日（又は何曜日）何時から何時まで放送された番組であるのかを示したデータ（過去番組情報）であり、表形式で表すことができる。一般的には、電子番組表は現在時刻以降の番組情報を示すために表形式で表されたデータであるが、本実施形態における電子番組表は、現在時刻以降に放送する番組の番組表に加えて、過去に放送された番組の番組表である過去番組表をも含む。
【００２７】
デジタル放送などの、番組情報送出手段を持つ放送においては、番組情報が放送信号に多重化されて送出される。電子番組表取得部（０２０４）では、現在時刻を基準として現在時刻以前の所定時間分の過去番組情報、及び現在時刻以降の番組情報を蓄積し、電子番組表を作成することができる。地上デジタル放送では、現在時刻以降の数日分の番組情報が、ＢＳ／ＣＳデジタル放送では１週間分の番組情報が、放送映像データに多重化されて送出される。また、記録再生装置がネットワークと繋がっている場合には、ウェブサイトなどからダウンロードして電子番組表を取得しても良い。取得した電子番組表は、縦軸をチャンネル軸とし、横軸を時間軸とすると、現在時刻を基準とした過去から未来に亘る番組情報として、図１に示すように構築することができる。なお、図１における電子番組表（０１０１）において、現在時刻（午前７時２０分）よりも左側が過去番組表（０１０４）に該当し、右側が通常の番組表（０１０５）である。過去番組表の番組名上に帯状のバー（０１０６）が表示されている区間が、放送映像データ保持部（０２０２）が放送映像データを保持している時間帯である。また、該バー表示によって、いずれのチャンネルの放送映像データを保持しているのかを示すことができる。図１では、チャンネル１００、１１０、１５０について現在時刻から６０分間前までの放送映像データを保持していることを示している。なお、このとき放送映像データを保持していないチャンネル（図１中チャンネル１２０、１４０）の過去番組表をグレーに表示し、放送映像データを保持しているチャンネルを目立つようにしても良い。
【００２８】
電子番組表取得部（０２０４）は、図３におけるＣＰＵ（０３０１）、揮発性メモリ（０３０２）、不揮発性メモリ（０３０３）、チューナ（０３０４）などから構成されている。電子番組表取得部（０２０４）では、まず、図３に示すチューナ（０３０４）を介して番組情報を取得する。そして、ＣＰＵ（０３０１）にて不揮発性メモリ（０３０３）のアドレスＰ２に格納されている電子番組情報作成プログラムを読み出し、揮発性メモリ（０３０２）のワーク領域に展開して起動する。電子番組情報作成プログラムでは、取得した番組情報から電子番組表を構築し、これを不揮発性メモリ（０３０３）のアドレスＣなどに格納する。
【００２９】
電子番組表取得部（０２０４）は、さらに、「番組付帯情報取得手段」（０２０６）を有していても良い。番組付帯情報取得手段は、番組に関連付けられた番組付帯情報を取得するように構成されている。番組付帯情報とは、番組情報に付帯して、その番組のジャンル、出演者、内容などを示す情報である。デジタル放送などでは、番組のチャンネルや放映時間を示す番組情報に加えて、このような番組付帯情報が送出される。
【００３０】
「表示部」（０２０５）は、電子番組表と、作成したサムネイル画像とを、過去番組表とサムネイル画像とが関連付けられる態様で表示するように構成されている。表示部は、図３におけるディスプレイ（０３０６）などから構成されている。表示部（０２０５）では、図３に示す不揮発性メモリ（０３０３）のアドレスＢに格納されたサムネイル画像と、アドレスＣに格納されている電子番組表を読み出し、過去番組表とサムネイル画像とが関連付けられる態様でユーザに視聴可能となるようにディスプレイ（０３０６）にて表示する。
【００３１】
「過去番組表とサムネイル画像とが関連付けられる態様」とは、図１に示すように、ディスプレイに表示された過去番組表（０１０４）中の一の番組（０１０２）を選択すると、該番組の放送映像データから作成されたサムネイル画像（０１０３）がディスプレイに表示される状態をいう。図１では、ユーザが電子番組表（０１０１）から放送映像データが保持されている過去の番組２（０１０２）を選択すると、番組２がハイライト表示され、該番組２のサムネイル画像（０１０３）が電子番組表（０１０１）の右下に表示されるように関連付けられている。表示されるサムネイル画像が動画像データの場合には、コマンドボタン（０１０７）を付してサムネイル画像の再生、早送り、一時停止などができるようにしても良い。サムネイル画像の表示位置は、図１に示すように電子番組表の右下としても良いし、図５に示すように、対応する過去番組表中の該当する番組の直下でも良いし、これらの態様に限られない。
【００３２】
表示部（０２０５）は、さらに、「番組付帯情報表示手段」（０２０７）を有しても良い。「番組付帯情報表示手段」（０２０７）とは、前記表示がされているサムネイル画像と関連付けて、番組付帯情報取得手段（０２０６）にて取得したそのサムネイル画像の番組の前記番組付帯情報をも表示する手段である。図６に、番組付帯情報（０６０３）をサムネイル画像（０６０１）、番組情報（０６０２）とともに表示した場合を例示する。
【００３３】
以上の説明では、電子番組表に対応して表示する画像は、サムネイル画像作成部にて作成されたサムネイル画像のみであるが、例えば、現在時刻以降の番組の予告編やＣＭなどの画像が、番組付帯情報として番組付帯情報取得手段（０２０７）によって取得された場合には、これらの画像を現在時刻以降の電子番組表と関連付けて表示することとしてもよい。なお、画像は静止画像であっても動画像であっても良い。
【００３４】
（実施形態１の具体例）図７に本実施形態における記録再生装置を、デジタル放送受信テレビジョンに適用した場合の具体的な構成要件を示す。図７に示す記録再生装置（０７００）は、選局されているチャンネルの放送映像データを受信する受信部（０７０１）と、受信した放送映像データに多重化されている番組情報及び番組付帯情報を分離する番組情報分離部（０７０２）と、番組情報から電子番組表を構築するＥＰＧ構築部（０７０３）と、構築した電子番組表を記録するＥＰＧ記録部（０７０４）と、記録された電子番組表を表形式に表示するためのＥＰＧ表示部（０７０５）と、受信された放送映像データのうち、いずれのチャンネルを常時過去の所定時間分録画するかを制御するタイムシフト録画制御部（０７０６）と、タイムシフト録画制御部の制御に基づいて、所定時間分のストリームデータである放送映像データを記録する動画像記録部（０７０７）と、ストリームデータのデコード処理を行うデコード部（０７０８）と、デコードされた放送映像データとＥＰＧ表示部にて表形式にて表された電子番組表とを重ね合わせて表示する多重化部（０７０９）とから構成される。
【００３５】
なお、図２に示す本実施形態の機能ブロック図における記録再生装置（０２００）と、図７に示す記録再生装置（０７００）との対応関係は次に示すとおりである。受信部（０２０１）は、図７の受信部（０７０１）に対応し、放送映像データ保持部（０２０２）は、番組情報分離部（０７０２）と、タイムシフト録画制御部（０７０６）と、動画像記録部（０７０７）とに対応し、サムネイル画像作成部（０２０３）はデコード部（０７０８）に対応し、電子番組表取得部（０２０４）及び番組付帯情報取得手段（０２０６）は番組情報分離部（０７０２）と、ＥＰＧ構築部（０７０３）と、ＥＰＧ記録部（０７０４）と、ＥＰＧ表示部（０７０５）とに対応し、表示部（０２０５）は多重化部（０７０９）に対応する。なお、これらの対応関係は本具体例におけるデジタル放送受信テレビジョン装置との対応関係を示しているに過ぎず、記録再生装置（０２００）を他の装置に適用する場合には、上記と異なる対応関係となっても良い。以下、上述のように構成された記録再生装置の動作を説明する。
【００３６】
本記録再生装置では、地上デジタル放送、ＢＳ／ＣＳデジタル放送などのデジタル放送を受信部（０７０１）にて受信する。受信部は、チューナやデスクランブラを備え、受信可能なチャンネル数は、備えるチューナやデスクランブラの数などにより左右される。デジタル放送では、映像や音声などの放送映像データと、番組情報などの放送映像データ以外のデータとを多重化してストリームを構成し、これらを同時に送信することができるため、番組情報分離部（０７０２）では、放送映像データと番組情報等とを分離する。タイムシフト録画制御部（０７０６）では、分離された放送映像データを所定時間分だけ動画像記録部（０７０７）にて記録するための制御を行う。放送映像データを記録する所定時間とは、予め設定されていても良いし、ユーザ設定可能としても良いし、動画像記録部（０７０７）の残記録容量に応じて変更することとしても良い。また、タイムシフト録画制御部（０７０６）にて、受信部（０７０１）で受信する放送映像データのチャンネルの選局指示を出力しても良い。デコード部（０７０８）では、動画像記録部（０７０７）に記録された放送映像データをサムネイル画像として適当なサイズとなるようにデコードし、視聴可能なデータ形式へと変換する。
【００３７】
一方、ＥＰＧ構築部（０７０３）では、番組情報分離部（０７０２）にて分離された番組情報を取得し、表形式として表示可能となるようにデータを構築する。構築されたデータは、ＥＰＧ記録部（０７０４）にて一時的に記録される。ＥＰＧ表示部（０７０５）では、ＥＰＧ記録部（０７０４）に記録されたデータを表形式として表す。多重化部（０７０９）では、デコード部（０７０８）にて作成されたサムネイル画像と、ＥＰＧ表示部（０７０５）にて作成された電子番組表とを多重化してディスプレイ等に表示する。
【００３８】
（実施形態１の処理の流れ）本実施形態における処理の基本的な流れを図８の処理フローに示す。本実施形態における番組表の表示方法では、まず、放送映像データを受信する（Ｓ０８０１：受信ステップ）。受信ステップにて放送映像データを受信すると、受信された放送映像データのうち、常時過去の所定時間分の放送映像データを保持する（Ｓ０８０２：放送映像データ保持ステップ）。そして、保持されている放送映像データのサムネイル画像を作成する（Ｓ０８０３：サムネイル画像作成ステップ）。また、前記保持されている放送映像データの番組表である過去番組表を含む電子番組表を取得する（Ｓ０８０４：電子番組表取得ステップ）。電子番組表と作成したサムネイル画像とが取得されると、電子番組表と、作成したサムネイル画像とを、過去番組表とサムネイル画像とが関連付けられる態様で表示する（Ｓ０８０５：表示ステップ）。以上のステップにより、記録再生装置において電子番組表が表示される。なお、電子番組表取得ステップ（Ｓ０８０４）において番組に関連付けられた番組付帯情報を取得する番組付帯情報取得サブステップ（Ｓ０８０６）を有しても良いし、番組付帯情報取得サブステップ（Ｓ０８０６）を有する場合には、表示ステップ（Ｓ０８０５）において表示されているサムネイル画像と関連付けて前記番組付帯情報をも表示する番組付帯情報表示サブステップ（Ｓ０８０７）を有しても良い。
【００３９】
（実施形態１の効果）以上のような構成をとる本実施形態の記録再生装置では、タイムシフト録画により利用可能となった放送映像データを活用して、視覚的に分かり易い電子番組表を表示することができる。このため、番組の効率的な選択や検索を支援することができる。
【００４０】
≪実施形態２≫（実施形態２の概念）実施形態２について説明する。図９に本実施形態における記録再生装置による電子番組表の表示例を示す。本実施形態の記録再生装置は、実施形態１の記録再生装置を基本とし、そのサムネイル画像の表示方法において特徴を有する。本実施形態の記録再生装置では、タイムシフト録画している期間のサムネイル画像を所定時間間隔おきに作成し、該作成されたサムネイル画像（０９０２）を電子番組表（０９０１）の時間軸（０９０３）に対応して表示することを特徴としている。
【００４１】
（実施形態２の構成）図１０に本実施形態にかかる記録再生装置の機能ブロック図の一例を示す。本実施形態にかかる「記録再生装置」（１０００）は「受信部」（１００１）と、「放送映像データ保持部」（１００２）と、「サムネイル画像作成部」（１００３）と、「電子番組表取得部」（１００４）と、「表示部」（１００５）とからなり、サムネイル画像作成部（１００３）は「所定時間間隔画像作成手段」（１００６）を有し、表示部（１００５）は「時刻対応表示手段」（１００７）を有していることを特徴とする。所定時間間隔画像作成手段（１００６）及び時刻対応表示手段（１００７）以外の構成は既に説明済みであるため説明を省略する。
【００４２】
（実施形態２の構成の説明）「所定時間間隔画像作成手段」（１００６）は、サムネイル画像作成部（１００３）の一機能であり、サムネイル画像を番組の中の所定時間間隔おきの再生映像から作成する手段である。所定時間間隔とは、例えば、５分間隔、１５分間隔などであり、予め設定されていても良いし、ユーザにより設定されることとしても良い。サムネイル画像は、保持されている放送映像データの再生映像の番組における所定時間間隔おきに複数作成される。例えば、午前６時を基準として、１５分間隔のサムネイル画像を作成する場合には、番組の再生映像中の６：００、６：１５、６：３０、６：４５、７：００、…、に該当する部分の放送映像データからサムネイル画像を作成することとなる。作成されるサムネイル画像は、静止画像であっても良いし、動画像であっても良い。なお、作成された各サムネイル画像は、どの時刻におけるサムネイル画像であるかを示す時刻情報と関連付けられることで、後述する電子番組表の時間軸と対応させることができる。
【００４３】
所定時間間隔おきに作成するサムネイル画像の作成開始時点は、各番組の開始時点を基準としても良いし、毎時０分を基準としても良い。各番組の開始時点を基準として所定時間間隔おきのサムネイル画像の作成を開始すると、全ての番組において少なくとも一のサムネイル画像を作成することができる。仮に、１５分間隔でサムネイル画像を作成する場合には、５５分番組であれば、番組の開始直後、１５分後、３０分後、４５分後の再生映像からサムネイル画像が作成されることになる。また、５分番組であれば、番組の開始直後の再生映像のみからサムネイル画像が作成されることになる。一方、毎時０分を基準としてサムネイル画像の作成を開始する場合には、各番組の長さに関わらず、常に一定の時間間隔でサムネイル画像を作成することができる。
【００４４】
「時刻対応表示手段」（１００７）は、表示部（１００５）の一機能であり、前記所定時間間隔画像作成手段（１００６）によって作成されたサムネイル画像を電子番組表に含まれる時間軸に対応させて表示する手段である。サムネイル画像に関連付けられた時刻情報と、これに対応する電子番組表に含まれる時間軸とを対応させた態様を図９に示す。図９では、電子番組表（０９０１）を時間軸（０９０３）を横軸にとり、この時間軸（０９０３）に対応した時刻の放送映像データのサムネイル画像（０９０２）を表示している。ユーザは、タイムシフト録画しているチャンネルの電子番組表（０９０１）の時刻表示（０９０３）に対応したサムネイル画像（０９０２）を確認することができ、そのチャンネルで放送されている番組の概要を容易に知ることができる。なお、図９に示すのは、所定時間間隔画像作成手段（１００６）にて一定の時間間隔にてサムネイル画像を作成した場合を示している。このように、一定の時間間隔にてサムネイル画像を作成すると、各チャンネル毎のサムネイル画像（０９０２）が時刻表示（０９０３）に応じて等間隔で並び、見やすい配置とすることができる。
【００４５】
また、図９のように複数表示されているサムネイル画像のうちの一のサムネイル画像をユーザが選択した場合に、当該サムネイル画像の場面から放送映像データを再生しても良い。また、サムネイル画像が動画像の場合には、サムネイル画像にコマンドボタンを付して各サムネイル画像自体を再生、早送り等可能としてもよい。図１１に示すように、ユーザが選択しているチャンネル（図１１中チャンネル１００）のみ時間軸（１１０１）に対応するサムネイル画像（１１０２）を表示し、それ以外のチャンネルのサムネイル画像を非表示としても良い。さらに、図１２に示すように、時間軸（１２０１）に応じたサムネイル画像（１２０２）を表示するとともに、実施形態１の図７に示したようなサムネイル画像（１２０４）と番組情報及び番組付帯情報（１２０５）を電子番組表（１２０３）の右下に表示することとしても良い。このとき、電子番組表（１２０３）の右下に表示するサムネイル画像（１２０４）は、ユーザが選択している番組（１２０５）の放送映像データから作成されたサムネイル画像を表示する。
【００４６】
（実施形態２の処理の流れ）本実施形態における処理の基本的な流れを図１３の処理フローに示す。本実施形態における番組表の表示方法では、まず、放送映像データを受信する（Ｓ１３０１：受信ステップ）。受信ステップにて放送映像データを受信すると、受信された放送映像データのうち、常時過去の所定時間分の放送映像データを保持する（Ｓ１３０２：放送映像データ保持ステップ）。そして、保持されている放送映像データのサムネイル画像を作成する（Ｓ１３０３：サムネイル画像作成ステップ）。サムネイル画像作成ステップにおけるサムネイル画像は、番組の中の所定時間間隔おきの再生映像から作成される（所定時間間隔画像作成サブステップ：Ｓ１３０４）。また、前記保持されている放送映像データの番組表である過去番組表を含む電子番組表を取得する（Ｓ１３０５：電子番組表取得ステップ）。電子番組表と作成したサムネイル画像とが取得されると、電子番組表と、作成したサムネイル画像とを、過去番組表とサムネイル画像とが関連付けられる態様で表示される（Ｓ１３０６：表示ステップ）。表示ステップでは、サムネイル画像を電子番組表に含まれる時間軸に対応させて表示する（時刻対応表示サブステップ：Ｓ１３０７）。以上のステップにより、記録再生装置にて電子番組表の時間軸に対応したサムネイル画像が表示される。
【００４７】
（実施形態２の効果）以上のような構成をとる本実施形態の記録再生装置では、タイムシフト録画により利用可能となった放送映像データを活用して、視覚的に分かり易い電子番組表を表示することができる。また、所定の時間間隔ごとにサムネイル画像が作成されるため、より分かり易い電子番組表を表示することができる。このため、番組のより効率的な選択や検索を支援することができる。
【００４８】
《実施形態３》（実施形態３の概念）実施形態３について説明する。図１４に本実施形態における記録再生装置による電子番組表の表示例を示す。本実施形態の記録再生装置は、実施形態１又は実施形態２の記録再生装置を基本とし、保持部が保持する放送映像データのチャンネルの種類において特徴を有する。本実施形態の記録再生装置では、受信可能な全てのチャンネルの放送映像データをタイムシフト録画する。このため、ユーザはチャンネルを意識することなく全てのチャンネルにおいてタイムシフト録画された番組を視聴することができ、電子番組表（１４０１）には全てのチャンネルの番組表示にサムネイル画像（１４０２）が関連付けられて表示される。
【００４９】
（実施形態３の構成）図１５に本実施形態にかかる記録再生装置の機能ブロック図の一例を示す。本実施形態にかかる「記録再生装置」（１５００）は「受信部」（１５０１）と、「放送映像データ保持部」（１５０２）と、「サムネイル画像作成部」（１５０３）と、「電子番組表取得部」（１５０４）と、「表示部」（１５０５）とからなり、放送映像データ保持部（１５０２）は「全チャンネル保持手段」（１５０６）を有していることを特徴とする。全チャンネル保持手段（１５０６）以外の構成は既に説明済みであるため説明を省略する。
【００５０】
（実施形態３の構成の説明）「全チャンネル保持手段」（１５０６）は、放送映像データ保持部（１５０２）の一機能であり、受信部（１５０１）にて受信可能な全てのチャンネルの放送映像データを保持する手段である。「受信部にて受信可能な全てのチャンネル」とは、受信部が機能的に受信可能であり、放送映像データに視聴制限等がかけられていないチャンネルをいう。例えば、受信部がＢＳデジタル放送とＣＳデジタル放送を受信可能なチューナを備えているが、ＣＳデジタル放送に視聴制限がかけられている場合には、ＣＳデジタル放送のチャンネルは受信可能な全てのチャンネルには含まれない。同様に、有料チャンネルなど、視聴制限がかけられている特定のチャンネルについても含まれない。受信部（１５０１）にて受信可能なチャンネルに関する情報は、Ｂ−ＣＡＳ（登録商標）カードなどから取得することとしても良い。
【００５１】
全チャンネル保持手段（１５０６）において、受信部（１５０１）にて受信可能な全てのチャンネルの放送映像データを所定時間分保持すると、サムネイル画像作成部（１５０３）では全てのチャンネルについてサムネイル画像を作成する。表示部（１５０５）では、作成された全てのチャンネルのサムネイル画像と電子番組表とを、過去番組表とサムネイル画像とが関連付けられる態様で表示する。これを具体的に例示したのが図１４である。図１４では、チャンネル１００、１１０、１２０、…、と、受信部（１５０１）にて受信可能な全てのチャンネルにサムネイル画像（１４０２）が関連付けられるように表示されている。また、バー表示（１４０３）についても全てのチャンネルに付されており、全てのチャンネルにおける放送映像データが放送映像データ保持部（１５０２）にて保持されていることを表している。さらに、番組情報、番組付帯情報等（１４０４）を同時に表示しても良い。
【００５２】
（実施形態３の処理の流れ）本実施形態における処理の基本的な流れを図１６の処理フローに示す。本実施形態における番組表の表示方法では、まず、放送映像データを受信する（Ｓ１６０１：受信ステップ）。受信ステップにて放送映像データを受信すると、受信された放送映像データのうち、常時過去の所定時間分の放送映像データを保持する（Ｓ１６０２：放送映像データ保持ステップ）。このとき、受信部にて受信可能な全てのチャンネルの放送映像データを保持する（Ｓ１６０３：全チャンネル保持サブステップ）。そして、保持されている全チャンネルの放送映像データのサムネイル画像を作成する（Ｓ１６０４：サムネイル画像作成ステップ）。また、前記保持されている全チャンネルの放送映像データの番組表である過去番組表を含む電子番組表を取得する（Ｓ１６０５：電子番組表取得ステップ）。電子番組表と作成した全チャンネルのサムネイル画像とが取得されると、電子番組表と、作成したサムネイル画像とを、過去番組表とサムネイル画像とが関連付けられる態様で表示される（Ｓ１６０６：表示ステップ）。
【００５３】
（実施形態３の効果）以上のような構成をとる本実施形態の記録再生装置では、タイムシフト録画により利用可能となった放送映像データを活用して、視覚的に分かり易い電子番組表を表示することができる。また、受信部にて受信可能な全てのチャンネルの放送映像データを保持しており、全てのチャンネルにサムネイル画像が作成されるため、より分かり易い電子番組表を表示することができる。このため、番組のより効率的な選択や検索を支援することができる。
【図面の簡単な説明】
【００５４】
【図１】実施形態１の具体例を説明する図
【図２】実施形態１の機能ブロック図
【図３】実施形態１のハードウェア構成を表す図
【図４】サムネイル画像の作成方法を説明する図
【図５】実施形態１の他の具体例を説明する図（１）
【図６】実施形態１の他の具体例を説明する図（２）
【図７】デジタル放送受信テレビジョンの構成を示す図
【図８】実施形態１の処理の流れを説明する図
【図９】実施形態２の具体例を説明する図
【図１０】実施形態２の機能ブロック図
【図１１】実施形態２の他の具体例を説明する図（１）
【図１２】実施形態２の他の具体例を説明する図（２）
【図１３】実施形態２の処理の流れを説明する図
【図１４】実施形態３の具体例を説明する図
【図１５】実施形態３の機能ブロック図
【図１６】実施形態３の処理の流れを説明する図
【図１７】従来技術における電子番組表の表示例
【符号の説明】
【００５５】
０２００      記録再生装置
０２０１      受信部
０２０２      放送映像データ保持部
０２０３      サムネイル画像作成部
０２０４      電子番組表取得部
０２０５      表示部
０２０６      番組付帯情報取得手段
０２０７      番組付帯情報表示手段
Ｓ０８０１    受信ステップ
Ｓ０８０２    放送映像データ保持ステップ
Ｓ０８０３    サムネイル画像作成ステップ
Ｓ０８０４    電子番組表取得ステップ
Ｓ０８０５    表示ステップ
Ｓ０８０６    番組付帯情報取得サブステップ
Ｓ０８０７    番組付帯情報表示サブステップ
【図１】
2007306150.tif 000003
【図２】
2007306150.tif 000004
【図３】
2007306150.tif 000005
【図４】
2007306150.tif 000006
【図５】
2007306150.tif 000007
【図６】
2007306150.tif 000008
【図７】
2007306150.tif 000009
【図８】
2007306150.tif 000010
【図９】
2007306150.tif 000011
【図１０】
2007306150.tif 000012
【図１１】
2007306150.tif 000013
【図１２】
2007306150.tif 000014
【図１３】
2007306150.tif 000015
【図１４】
2007306150.tif 000016
【図１５】
2007306150.tif 000017
【図１６】
2007306150.tif 000018
【図１７】
2007306150.tif 000019